(57)【要約】【課題】  手の疲れが極めて軽減されると共に、ピンセットが開放状態では、ピンセットの把持部に熱が伝導されないピンセット型の半田ごてを得ること。【解決手段】  ケース１０に内蔵された第１並進移動する第１カムフォロワー６１と第２並進移動する第２カムフォロワー６２と、逆Ｖ字形の該第１部材２０Ｖと該第２部材２０Ｖの他端部２０ｃどうしを連結し、ケース１０に一端部２０ａが連結固定され、他端部２０ｃが第１カムフォロワー６１に連結されると共に、往復の第１並進移動に基づいて先端の開閉量を拡大すると共に、被対象物を開放及び把持するピンセット２０と、第２移動部に連結された発熱体２５とを備え、ピンセット２０が把持状態で、ピンセット２０の他端部２０ｃ又は一端部２０ａの少なくともいずれか一方に発熱体２５が熱的に接触するように第２移動部を前記第２並進移動させる、ものである。【選択図】      図１
2008080380.tif 000002
【特許請求の範囲】
【請求項１】
ケースに内蔵された第１並進移動する第１移動部と該第１移動部と反対方向に第２並進移動する第２移動部と、
逆Ｖ字形で、一端部と他端部を有する第１、第２部材を有し、該第１部材と該第２部材の他端部どうしを連結し、前記ケースに前記一端部が連結固定され、前記他端部が前記第１移動部に連結されると共に、往復の前記第１並進移動に基づいて先端の開閉量を拡大すると共に、被対象物を開放及び把持する把持部を有するピンセットと、
前記ケースに内蔵されると共に、前記第２移動部に連結された発熱体とを備え、
前記ピンセットが把持状態で、前記ピンセットの前記他端部又は前記一端部の少なくともいずれか一方に前記発熱体が熱的に接触するように前記第２移動部を前記第２並進移動させる、
ことを特徴とするピンセット型の半田ごて。
【請求項２】
前記ピンセットの前記他端部に前記発熱体が熱的に接触するように前記第２移動部を移動させる、
ことを特徴とする請求項１に記載のピンセット型の半田ごて。
【請求項３】
前記ケースに収納され、モータの軸に連結されると共に、前記モータの一方向の回転を、所定の往復方向の並進変位量に変換して前記第１及び第２移動部を並進移動させる第１変換機構と、
該第１変換機構は、前記ピンセットの他端部が引き込まれると、前記発熱体を押し出すように動作する、
ことを特徴とする請求項１又は２に記載のピンセット型の半田ごて。
【請求項４】
前記ケースから少なくとも一部が突出すると共に、人の手で回動可能な回動部材と、該回動部材の一方向の回転を、所定の往復方向の並進変位量に変換して前記第１及び第２移動部を並進移動させる第２変換機構を備え、
該第２変換機構は、前記ピンセットの他端部が引き込まれると、前記発熱体を押し出すように動作する、
ことを特徴とする請求項１又は２に記載のピンセット型の半田ごて。
【請求項５】
前記ケースに係合すると共に、前記ピンセットの一端部を着脱自在に止める第１係止部を有する第１係合部材と、
前記ピンセットの他端部を取り外し自在に止めると共に、前記第１移動部に連結された第２係止部と、
を備えたことを特徴とする請求項１から４の何れかに記載のピンセット型の半田ごて。
【請求項６】
前記発熱体、前記ピンセットの前記一端部又は前記他端部の少なくとも一つは、端面を有し、
前記発熱体と前記一端部又は前記他端部の少なくとも一つの接触が面である、
ことを特徴とする請求項１から５に記載のピンセット型の半田ごて。
【請求項７】
前記第１、第２変換機構は、前記モータ又は回動部材の軸に連結されると共に、第１揚程部及び第２揚程部を有するカムを備え、
前記第１移動部は、該カムの一方向の回転を、前記他端部に対して所定の往復方向の並進変位に変換すると共に、前記第１揚程部に対応する第１接触部を有する第１カムフォロワーであり、
前記第２移動部は、前記第２揚程部に対応する第２接触部を有する第２カムフォロワーである、
ことを特徴とする請求項３から６の何れかに記載のピンセット型の半田ごて。
【請求項８】
前記第１移動部と連結固定されると共に、前記ピンセットの他端部に連結固定される柱状の操作部材を備え、
前記発熱体は、中空部を有し、
前記操作部材は、前記中空部に貫通しており、
前記第２カムフォロワーには、前記第１カムフォロワーの前記第１並進移動を案内する空洞部を有する、
ことを特徴とする請求項７に記載のピンセット型の半田ごて。
【請求項９】
前記ピンセットの前記第１部材、前記第２部材の先端部にそれぞれ固定されると共に、前記第１部材、前記第２部材よりも熱伝導性が良い第１，第２熱伝導部材を備え、
該第１，第２熱伝導部材を前記発熱体と接触する、
ことを特徴とする請求項１から８の何れかに記載のピンセット型の半田ごて。
【発明の詳細な説明】
【技術分野】
【０００１】
本発明は、ピンセット型の半田ごてに関するものである。
【背景技術】
【０００２】
従来のピンセット型の半田ごて４００は、図１５に示すように、電源プラグ４０１を有し、断熱体で覆われた第１把手部４０３と、第１把手部４０３から突出した発熱部４０５と、第１把手部４０３と対向して設けると共に、断熱体で覆われた第２把手部４０７と、第２把手部４０７から突出した非発熱部４０９と、非発熱部４０９を開閉するために第２把手部４０７の端部に設けられた支軸４１１と、非発熱部４０９が開くように付勢するスプリング４１３を設けたものがある(特許文献１)。
【０００３】
かかるピンセット型の半田ごて４００によれば、半田ごての発熱部４０５と非発熱部４０９とにより半田付け対象物を挟む機能を設けることにより、半田付け対象物を固定しながら半田付け作業ができる。したがって、半田付け作業が容易にできる。
【特許文献１】特開平４−１２３８６７号公報
【発明の開示】
【発明が解決しようとする課題】
【０００４】
しかし、上記ピンセット型の半田ごて４００では、作業者が半田ごての第１把手部４０３と第２把手部４０７とを手で握り、スプリング４１３の反力に抗して第２把手部４０７を、支軸４１１を中心に回転させることにより発熱部４０５を非発熱部４０９に接近した把持状態として半田付け対象物を、発熱部４０５と非発熱部４０９とで挟んで半田付けする。つまり、被対象物を把持し続けるために半田ごて４００の第１及び第２把手部４０３，４０７を手で握り続けなければならない。
また、半田付けが完了すると、第２把手部４０７から指の押圧を緩めてスプリング４１３により第２把手部４０７が開放して発熱部４０５と非発熱部４０９とが開放状態としている。このため、半田ごて４００により多数の被対象物を半田付け又は半田を溶融しようとすると、作業者は半田ごて４００の第１把手部４０３と第２把手部４０７とを手の握りと指の緩めといった上記動作を伴い、該動作が被対象物の数に比例して増加する。したがって、作業者の手が疲労し易くなり、労働効率も低下するという課題があった。
【０００５】
さらに、電源プラグ４０１を投入すると、常に加熱部４０５が熱せられるので、作業者は、該加熱部４０５に注意しながら半田付け等の作業をしなければならないので、緊張を強いられるという課題があった。
【０００６】
本発明は、上記課題を解決するためになされたもので、作業者が手によりピンセットの把持部の開閉を行うことがなく、手の疲れが極めて軽減されると共に、ピンセットが開放状態では、ピンセットの把持部に熱が伝導されないピンセット型の半田ごてを得ることを課題としている。
【課題を解決するための手段】
【０００７】
本発明のピンセット型の半田ごては、ケースに内蔵された第１並進移動する第１移動部と該第１移動部と反対方向に第２並進移動する第２移動部と、逆Ｖ字形で、一端部と他端部を有する第１、第２部材を有し、該第１部材と該第２部材の他端部どうしを連結し、前記ケースに前記一端部が連結固定され、前記他端部が前記第１移動部に連結されると共に、往復の前記第１並進移動に基づいて先端の開閉量を拡大すると共に、被対象物を開放及び把持する把持部を有するピンセットと、前記ケースに内蔵されると共に、前記第２移動部に連結された発熱体とを備え、前記ピンセットが把持状態で、前記ピンセットの前記他端部又は前記一端部の少なくともいずれか一方に前記発熱体が熱的に接触するように前記第２移動部を前記第２並進移動させる、ことを特徴とするものである。
【０００８】
本発明のピンセット型の半田ごては、第１移動部の第１並進移動に基づいて変位拡大機能を有するピンセットが把持(閉成)・開放し、第２移動部の第１並進移動と逆方向の第２並進移動により発熱体が移動し、ピンセットが把持状態で、ピンセットの他端部又は一端部の少なくともいずれか一方に発熱体が熱的に接触する。
これにより、第１移動部がピンセットを把持・開放するので、作業者が手によりピンセットの把持部の開閉を行うことがなく、手の疲れが極めて軽減される。しかも、ピンセットが開放状態では、ピンセットに熱が伝導されない。つまり、ピンセットは把持状態で熱せられるので、半田付け又は半田の溶融が必要なときに限り熱せられる。したがって、常時熱している場合に比較してピンセットの熱的な劣化が軽減され、エネルギー効率が良い。
なお、ピンセットの把持状態とは、ピンセットが開放した状態から閉成に移行している状態をいい、ピンセットの先端部どうしが接触するか否かを問わない。
また、ピンセットの第１部材と該第２部材の他端部どうしは、連結しておれば、足りるから、第１部材の第１他端部と第２部材の第２他端部とが、共通になっていても、分離しても良い。
【０００９】
本発明のピンセット型の半田ごては、ピンセットの他端部に発熱体が熱的に接触するように第２移動部を移動させても良い。発熱体の第２並進移動によりピンセットの他端部と発熱体が接触するので、上記半田ごてと同様の作用・効果を奏する。
しかも、ピンセットの他端部と発熱体とが逆方向の並進移動により接触するので、ピンセットの他端部のみが並進移動して発熱体の端面に接触する場合に比較し、ピンセットの開放状態におけるピンセットの他端部と発熱体の端面との距離が長くなる。これにより、発熱体等の寸法精度、組立て精度が高くなくとも、ピンセットの他端部と発熱体の端面との接触不良、開放不良を防止できる。
【００１０】
本発明のピンセット型の半田ごては、ケースに収納され、モータの軸に連結されると共に、前記モータの一方向の回転を、所定の往復方向の並進変位量に変換して第１及び第２移動部を並進移動させる第１変換機構と、該第１変換機構は、ピンセットの他端部が引き込まれると、発熱体を押し出すように動作する、ことが好ましい。
モータにより第１変換機構を介してピンセットを把持・開放すると共に、発熱体を並進移動させるので、一つの駆動源としてのモータによりピンセット及び発熱体を動作できるので、構成が簡易になると共に、作業者は半田ごてのケースを保持するのみで足りる。したがって、手の疲れが極めて軽減されると共に、労働効率が上昇し得る。
【００１１】
本発明のピンセット型の半田ごては、ケースから少なくとも一部が突出すると共に、人の手で回動可能な回動部材と、該回動部材の一方向の回転を、所定の往復方向の並進変位量に変換して第１及び第２移動部を並進移動させる第２変換機構を備え、該第２変換機構は、ピンセットの他端部が引き込まれると、発熱体が押し出すように動作する、ことが好ましい。
人の手により回動部材を回動して第２変換機構を介してピンセットの把持・開放と共に、発熱体を並進移動させるので、手によりピンセット及び発熱体を動作できるので、構成が簡易になる。加えて、作業者は手により回動部材を回動する操作のみで足りる。したがって、作業者はピンセット自体を開閉することがないので、手の疲れが軽減される。
【００１２】
本発明のピンセット型の半田ごては、ケースに係合すると共に、ピンセットの一端部を着脱自在に止める第１係止部を有する第１係合部材と、前記ピンセットの他端部を取り外し自在に止めると共に、第１移動部に連結された第２係止部と、を備えるのが良い。
これにより、ピンセットを有する第１係合部材をケースから着脱し、ピンセットは一端部、他端部をそれぞれ第１係止部、第２係止部から簡易に着脱できる。これにより、消耗したピンセットの交換が容易になる。
また、着脱部は、ピンセットの他端部を着脱自在な第１移動部に連結された操作部材から成なることが好ましい。ピンセットの他端部を操作部材から簡易に着脱できる。
また、着脱部は、第１係合部材と摺動自在であると共に、ピンセットの他端部を着脱自在に止める第２係合部材から成ることが好ましい。これにより、ピンセットの他端部を第２係合部材から簡易に着脱できる。
【００１３】
本発明のピンセット型の半田ごてにおける発熱体、ピンセットの一端部又は他端部の少なくとも一つは、端面を有し、発熱体と一端部又は他端部の少なくとも一つの接触が面である、ことが好ましい。
これにより、発熱体とピンセットの端部との接触熱抵抗を低減できるので、発熱体の熱がピンセットの把持部に効率良く伝導できる。
さらに、操作性、組立性から、第１部材の第１他端部と第２部材の第２他端部とを共通にして発熱体の接触面積を確保することが好ましい。接触熱抵抗が低くなり、ピンセットの把持部が熱せられ易くなるからである。
【００１４】
本発明のピンセット型の半田ごてにおける第１、第２変換機構は、モータ又は回動部材の軸に連結されると共に、第１揚程部及び第２揚程部を有するカムを備え、第１移動部は、該カムの一方向の回転を、ピンセットの他端部に対して所定の往復方向の並進変位量に変換すると共に、第１揚程部に対応する第１接触部を有する第１カムフォロワーであり、第２移動部は、第２揚程部に対応する第２接触部を有する第２カムフォロワーである、ことが好ましい。
これにより、回動するカムから二つの異なる第１並進移動と第２並進移動とを、それぞれ、第１カムフォロワー、第２カムフォロワーにより実現できる。したがって、変換機構を簡易に実現できる。
【００１５】
本発明のピンセット型の半田ごては、第１移動部と連結固定されると共に、ピンセットの他端部に連結固定される操作部材を備え、発熱体は、中空部を有し、操作部材は、該中空部に貫通しており、第２カムフォロワーには、第１カムフォロワーの第１並進移動を案内する空洞部を有する、ことが好ましい。
半田ごての胴部が小型化できると共に、部材を増加することなく操作部材の並進移動を第２カムフォロワーの空洞部により案内できる。
【００１６】
本発明の半田ごては、ピンセットの第１部材、第２部材の先端部にそれぞれ固定されると共に、第１部材、第２部材よりも熱伝導性が良い第１、第２熱伝導部材を備え、該第１、第２熱伝導部材を発熱体と接触する、ことが好ましい。
これにより、ピンセットは第１、第２熱伝導部材が発熱体からの熱伝導の機能を担い、第１及び第２部材が変位拡大機能を担うので、良好なバネ特性及び熱伝導性を有するピンセットの材質の選択が容易である。
【発明の効果】
【００１７】
本発明によれば、作業者が手によりピンセットの開閉を行うことがなく、手の疲れが極めて軽減されると共に、ピンセットが開放状態では、ピンセットの把持部に熱が伝導されないピンセット型の半田ごてを得ることができる。
【発明を実施するための最良の形態】
【００１８】
実施の形態１．
本発明の一実施の形態となるピンセット型の電動半田ごてを図１から図１０によって説明する。図１は電動半田ごての全体構成を示す縦断面図、図２は電動半田ごての主要部の拡大図、図３は図１のピンセットを示す斜視図、図４はピンセットの着脱部の斜視図、図５は図４に示す操作部材の斜視図、図６は図４に示す着脱部の移動部材及び固定部材の平面図(ａ)、図６(a)に示す矢視ｂ−ｂ断面図(b)、図７から図９はピンセットがそれぞれ開放、中間、把持状態における各部の動作を示す部分断面図、図１０は電動半田ごてに用いるカムの変位線図である。
図１及び図２において、電動半田ごて１は、断熱機能を有するケース１０を有しており、ケース１０は、円筒状のホルダー部材５，ケース部材７と、円盤状の蓋９とを備えている。
【００１９】
図１及び図２において、ピンセット型の電動半田ごて１は、半田付け又は半田溶融対象物としての電子部品２を把持(閉成)したり開放したりする二つのＶ字辺２０Ｖを有するピンセット２０と、ピンセット２０の他端部２０ｃから熱を伝える発熱体２５と、ピンセット２０の該他端部２０ｃ及び発熱体２５を並進変位させる動力源となるモータ４１を有する駆動部４０と、モータ４１の軸４１ａに連結されると共に、モータ４１の一方向の回転を、所定の往復方向の並進変位量に変換して操作部材６７を第１並進移動させると共に、該第１並進移動と逆方向に発熱体２５を第２並進移動させる第１変換機構５０とを備え、該第１変換機構５０は、ピンセット２０の他端部２０ｃが矢印Ｂ方向に引き込まれる(引っ張る)と、発熱体２５が矢印Ａ方向に押し出す(戻る)と共に、ピンセット２０の他端部２０ｃが矢印Ａ方向に押し出されると、発熱体２５が矢印Ｂ方向に引き込まれるように動作するように形成されている。
【００２０】
ピンセット２０は、一端部２０aが連結されたケース１０に対し、他端部２０ｃが連結された操作部材６７に対してそれぞれ着脱部３０により着脱自在に形成され、ケース１０には、発熱体２５、駆動部４０と、第１変換機構５０とが収納されており、着脱部３０がホルダー部材５と着脱自在に係合されている。
【００２１】
ピンセット２０は、図３に示すように全体が略Ｍ形状で平板から成り、はり状で略逆Ｖ形状のＶ字辺を有すると共に、先端部を共有する第１、第２部材としての把持部材２０Ｖを二つ有し、把持部材２０Ｖは、略Ｌ形状の第１辺２０ｆと、第１辺２０ｆと対向すると共に、真っ直ぐな板状の第２辺２０ｈから成っており、第２辺２０ｈどうしの端を結合して他端部２０ｃとしての共有部が形成されている。
【００２２】
把持部材２０Ｖは、該第１辺２０ｆと第２辺２０ｈが結合された平らな先端部に電子部品２等を把持する把持部２０ｘと、第１辺２０ｆの該把持部２０ｘと反対の方向で、他端部２０ｃと略平行に設けられた平坦面を有するＬ形の一端部２０ａとを有している。
ピンセット２０の他端部２０ｃには、該第２辺２０ｈと交叉する平面部を有し、該平面部には、発熱体２５の天面と略同一のリング形状で、丸形状の孔２０ｅが形成され、発熱体２５と接触する外側面が平らに形成されている。平らに形成されているのは、発熱体２５の熱伝導を良くするためである。
ピンセット２０は、上記のように一端部２０ａがケース１０に連結され、並進変位に基づいて他端部２０ｃが引っ張られたり、戻されたりして把持部２０ｘの先端が内側、別言すれば、上記並進変位の方向に対して略垂直方向、つまり、該並進変位の方向に対して横方向に拡大変位することにより把持部２０ｘが電子部品２を把持(閉成)したり開放したりするように形成されている。
ピンセット２０の材質は、変位拡大機能を有するためにバネ性を有すると共に、発熱体２５からの熱を伝えられるために熱伝導性にも優れていることが好ましい。
なお、上記ピンセット２０の他端部２０ｃが結合されて一つであるが、把持部材２０Ｖを分離して、それぞれの把持部材２０Ｖの他端部２０ｃを形成して、他端部２０cを二つにしても良い。
【００２３】
着脱部３０は、図４から図６に示すように、中央に丸形状の孔３１ｅを有し、ピンセット２０Ｖの一端部２０ａを着脱自在に係合するため、第１係止部としての二つの切欠き３１ａを有する第１係合部材としての固定部材３１と、該孔３１ｅに内面と摺動自在であると共に、ピンセット２０Ｖの他端部２０ｃを着脱自在に係合するため、第２係止部としての二つの切欠き３２ｃを有する第２係合部材としての移動部材３２とを備え、移動部材３２に操作部材６７が着脱自在に取り付けられる。
固定部材３１は、平板状の平面視略ドーナツ形で、孔３１ｅの周囲には、中央部に向かって突起形状の案内片３１ｔを対向して二つ有すると共に、該案内片３１ｔと交差して二つの略Ｔ形状の切欠き３１ａが形成されている。
ここで、固定部材３１の厚さは、移動部材３２を摺動自在に案内するので、移動部材３２の僅かな並進移動量よりも充分に厚く形成されている。
【００２４】
移動部材３２は、平板状の平面視略ドーナツ形で、外周が固定部材３１の案内片３１ｔ及び孔３１ｅの内面と摺動自在であるために略四角形に切り欠かれた二つの案内溝３２ｕと、該案内溝３２ｕどうしを結ぶ仮想線の中央部から略垂直方向に設けられると共に、略四角形の二つの切欠き３２ｃと、中央に小判状の孔３２ｅと、該孔３２ｅの周囲の内側には円柱状の凹部３２ｆとを備えている。
操作部材６７は、移動部材３２の孔３２ｅを貫通させる小判状の先端部６７ｄと、移動部材３２の凹部３２ｆと摺動して係合する円柱状のフランジ部６７ｆと、先端部６７ｄとフランジ部６７ｆの間に設けられた挟持溝６７ｃとを備えている。該挟持溝６７ｃは、操作部材６７の先端部６７ｄを移動部材３２の孔３２ｅに貫通してから操作部材６７を９０°回転させて移動部材３２の凹部３２ｆにフランジ部６７ｆを係合することにより移動部材３２を挟持するために形成されている。
【００２５】
固定部材３１は、ケース１０のホルダー部材５の内面に着脱自在に係合するように形成しており、ピンセット２０の一端部２０ａを切欠き３１ａに係合固定することにより、該一端部２０ａがケース１０に連結固定される。
ここで、ピンセット２０と着脱部３０とが組み立てられたものをピンセットユニット３５という。
【００２６】
発熱体２５は、セラミックヒーターの発熱体が窒化珪素のセラミックに内蔵して同時焼結されたもので(例えば京セラ製ＳＮヒータ)、図２に示すように、接触熱抵抗を低くするために天面が平に形成され、操作部材６７が挿入される孔２５ｅを中央に有し、第１筒部２５ａと第１筒部２５ａよりも太い第２筒部２５ｃとを有しており、ピンセット２０の他端部２０ｃに接触してから短時間にピンセット２０の先端２０ｘが例えば３００℃になることが好ましい。そして、発熱体２５が４００℃の温度を発生している状態で、ピンセット２０の他端部２０ｃに接触してから２〜３秒後にピンセット２０の先端２０ｘが３００℃になることが確認されている。
また、発熱体２５の第１筒部２５ａの外周には、第１弾性部材としての第１コイルバネ７１がホルダー部材５の内周面に摺動自在に移動するように挿入されたリング部材７５を押圧するように圧縮状態で挿入されている。
【００２７】
駆動部４０は、軸４１ａを有するモータ４１と、軸４１ａを回動自在に保持するベアリング４３と、発熱体２５及びモータ４１の駆動源となる電源を外部から取り込むモータ用の電線４５ｍと発熱体２５用の電線４５ｈが接続され、それぞれの電源を投入・遮断するための第１スイッチ手段としてのモータ用スイッチ４７ｍと、第２スイッチ手段としての発熱体用スイッチ４７ｈとがケース１０の表面部に設けられている。
【００２８】
第１変換機構５０は、モータ４１の軸４１ａにおける一方向、すなわち、正転又は逆転のうちいずれか一つとなる一定方向の回転を伝達するカム５１を有している。
第１変換機構５０は、カム５１の回転によりピンセット２０の他端部２０ｃに対して、所定の往復方向の第１並進変位に変換してピンセット２０の他端部２０ｃを引っ張ったり戻したりすることによりピンセット２０の先端を開閉する第１並進移動部としての第１カムフォロワー６１と、発熱体２５を第１並進変位とは逆方向の第２並進変位に変換して発熱体２５を引き込んだり押し出したりする第２並進移動部としての第２カムフォロワー６２とから成っている。
そして、第１及び第２カムフォロワー６１，６２の並進変位量は、往路と復路との並進変位量を同一の大きさに変換するように形成されている。
【００２９】
カム５１は、略円柱状で、モータ４１の軸４１aに連結されると共に、輪郭に第１揚程部としての球状の第１球部５１ｂを有すると共に、第１球部５１ｂより外側に設けられた第２揚程部としての球状の第２球部５２ｂを有している。
【００３０】
第１カムフォロワー６１は、図２に示すように円柱状で、カム５１の第１球部５１ｂに接触して摺動する第１接触部６１ｓを有しており、第１カムフォロワー６１の上面には、操作部材６７の基部６７ｂが固定されていて、第１カムフォロワー６１の並進移動に同期して操作部材６７が並進移動するように形成されている。
【００３１】
第２カムフォロワー６２は、発熱体２５の一端面が固定されており、ピンセット２０が把持状態で、ピンセット２０の他端部２０ｃの下面全体に発熱体２５の天面(他端面)が熱的に接触するように移動するように形成されている。
第２カムフォロワー６２は、中央に孔６２eを有し、カム５１の第２球部５２ｂに接触して摺動する第２接触部６２ｓを有する円筒状の空洞部６２ｃを備えており、該空洞部６２ｃには、第１カムフォロワー６１が摺動自在に係合され、第２の弾性部材としての第２コイル７２が操作部材６７の基部６７ｂを第１カムフォロワー６１に押圧するように圧縮状態で装着されている。
そして、第２コイルばね７２の圧縮力が第１コイルバネ７１よりも小さいものを選定している。カム５１と第２カムフォロワー６２とを確実に接触させるためである。
【００３２】
図７において、電動半田ごて１のピンセット２０が開放状態を示しており、カム５１の第１球部５１ｂにより第１カムフォロワー６１の第１接触部６１ｓが最も押し上げられることにより、操作部材６７も押し上げられて矢印Ａ方向に並進移動してピンセット２０は、他端部２０ｃが押されて開放状態と成るように形成されている。
一方、カム５１の第２球部５２ｂにより第２カムフォロワー６２の第２接触部６２ｓが最も引き込まれことにより、電動半田ごて１の発熱体２５が最も引き込まれる。この際におけるピンセット２０の他端部２０ｃ下面を第１基準位置Ｌｎ1、発熱体２５の天面を第２基準位置Ｌｎ２となるように形成されている。
【００３３】
次に、図８において、ピンセット２０が開放と閉成の中間となる中間状態を示しており、カム５１の第１球部５１ｂにより第１カムフォロワー６１の第１接触部６１ｓが第１並進移動距離の半分引き込まれることにより、操作部材６７も引き込まれて矢印Ｂ方向に操作部材６７が並進移動し、ピンセット２０は、他端部２０ｃが引き込まれ先端２０ｘが矢印のように内側に曲がる中間状態と成る。操作部材６７が第１基準位置Ｌｎ1から並進変位量ΔＳｍ1引き込まれるように形成されている。
一方、カム５１の第２球部５２ｂにより第２カムフォロワー６２の第２接触部６２ｓが第２並進移動距離の半分押し上げられて発熱体２５が押し上げられる。発熱体２５は、図７の開放状態より第２基準位置Ｌｎ２から並進変位量ΔＳｍ2押し出されるように形成されている。
【００３４】
さらに、図９において、ピンセット２０が把持状態を示しており、カム５１の第１球部５１ｂにより第１カムフォロワー６１の第１接触部６１ｓが最も引き込まれることにより、操作部材６７が最も引き込まれ、ピンセット２０は、他端部２０ｃも引き込まれて把持状態と成り、この際の操作部材６７は第１基準位置Ｌｎ1から並進変位量ΔＳＬ1引き込まれるように形成されている。
一方、カム５１の第２球部５２ｂにより第２カムフォロワー６２の第２接触部６２ｓが最も押し上げられる。この際の発熱体２５は第２基準位置Ｌｎ２から並進変位量ΔＳＬ2移動してピンセット２０の他端部２０ｃに圧力がかかった状態で接触する、つまり圧接するように形成されている。
このように、ピンセット２０の開放状態、中間状態、把持(閉成)状態を示す第１変換機構５０の変位曲線を図１０に示す。
【００３５】
上記のように構成された電動半田ごての動作を図１から図１０を参照して説明する。
＜ピンセットの動作＞
まず、発熱体用スイッチ４７ｈをオンにして発熱体２５を温めてから、ピンセット２０が開放している状態で、作業者がモータ用スイッチ４７ｍを押すと、電線４５ｍを介して電源をモータ４１に供給してモータ４１が回転を開始する。モータ４１の軸４１aが回転し、同時にカム５１も同一の方向に同一の速度で回転する。第２圧縮バネ７２により矢印Ｂ方向に付勢された第１カムフォロア６１の第１接触部６１sと、カム５１の第１球部５１ｂとが摺動し、ピンセット２０は、他端部２０ｃが矢印Ｂ方向に引っ張られて並進変位しながら移動してＶ字片２０Ｖが開放から把持(閉成)して電子部品２を把持する。
【００３６】
一方、第２カムフォロア６２の第２接触部６２sと、カム５１の第２球部５２ｂとが摺動して発熱体２５が矢印Ａ方向に押し上げられ、ピンセット２０は他端部２０ｃの下面全体に発熱体２５が圧接して熱が先端部２０ｘまで伝導して瞬時に熱せられる。
ここで、作業者がモータ用スイッチ４７ｍから手を離すと、モータ４１に流れている電流が遮断されてモータ４１の回転が停止してピンセット２０が閉成して電子部品２を把持し続ける。したがって、基板に電子部品２が半田付けされている場合には、電子部品２のリードを介して半田が溶けて電子部品２を基板から容易に取り外すことができる。つまり、リワーク作業が容易となる。
【００３７】
次に、作業者がモータ用スイッチ４７ｍを押すと、上記のようにモータ４１の軸４１ａが回転し、同時にカム５１も同一の方向に同一の速度で回転する。カム５１の第１球部５１ｂと第１カムフォロワー６１の第１接触部６１sとが摺動し、ピンセット２０は他端部２０ｃが矢印Ａ方向に戻されて並進変位しながら移動し、開放して電子部品２を放す。
一方、第２カムフォロワー６２の第２接触部６２sと、カム５１の第２球部５２ｂとが摺動して発熱体２５が矢印Ｂ方向に引き込み、ピンセット２０は、他端部２０ｃが発熱体２５から離れて自然冷却する。
【００３８】
＜ピンセットの着脱＞
次に、消耗したピンセット２０の交換について図１から図６を参照して説明する。作業者は、ピンセットユニット３５の固定部材３１をホルダー部材５の係合から解除し、固定部材３１及び移動部材３２を９０°回転し、操作部材６７の先端部６７ｄと移動部材３２の孔３２ｅとを一致させた後、該先端部６７ｄを該孔３２ｅを通すことにより、固定部材３１及び移動部材３２を操作部材６７から外して、半田ごて１からピンセットユニット３５を取り外す。
そして、取り外したピンセットユニット３５の固定部材３１に設けた切欠き３１ａからピンセット２０の一端部２０ａの係合を解除し、移動部材３２の切欠き３２ｃからピンセット２０の他端部２０ｃの係合を解除してピンセット２０を取り外しできる。
また、ピンセット２０のケース１０及び操作部材６７への装着は、上記取り外しと逆の作業をすれば良い。
【００３９】
上記実施形態の電動半田ごて１によれば、ケース１０に内蔵された並進移動する第１移動部としての第１カムフォロワー６１と、第２移動部として第２カムフォロワー６２とを有しており、該ケース１０に一端部２０ａが連結固定され、他端部２０ｃが移動部としての第１カムフォロワー６１に連結されると共に、往復の並進変位量に基づいて先端２０ｘの開閉量を拡大すると共に、電子部品２を開放及び把持するピンセット２０と、ケース１０に内蔵された発熱体２５と、ピンセット２０が把持状態で、ピンセット２０の他端部２０ｃに発熱体２５が熱的に接触するように第１カムフォロワー６１、操作部材６７と第２カムフォロワー６２を移動したので、操作部材６７の並進変位量に基づいて変位拡大機能を有するピンセット２０が開放・把持する。
これにより、第１カムフォロワー６１の動作に基づいてピンセット２０を開放・把持するので、作業者が手により直接ピンセット２０の開閉を行うことがなく、手の疲れが極めて軽減され、労働効率が上昇する。
さらに、ピンセット２０の他端部２０ｃに発熱体２５が接触するので、電子部品２のリード等を挟むピンセット２０の先端部２０ｘの内側が速やかに熱せられる。さらに、ピンセット２０の内側が熱せられ易く、外側が熱せられにくいので、作業者の作業がし易い。
また、ピンセット２０が閉成した場合に限り、発熱体２５から熱が伝導してピンセット２０を熱するので、エネルギー効率が良い。
【００４０】
上記実施形態の電動半田ごて１によれば、モータ４１の軸４１ａに連結されると共に、モータ４１の一方向の回転を、所定の往復方向の並進変位量に変換して移動部を並進移動させる第１変換機構５０と、該第１変換機構５０は、ピンセット２０の他端部２０ｃが引き込まれると、発熱体２５が押し出さるように動作する。
これにより、モータ４１によりピンセット２０を開放・把持するので、作業者は電動半田ごて１のケース１０を保持するのみで、電子部品２を半田付けできたり、基板に取り付いていた電子部品２を外したりできる。したがって、手の疲れが極めて軽減される。
また、モータ４１により第１変換機構５０を介してピンセット２０の開放・把持と、発熱体２５のピンセット２０の接触をなすことができる。したがって、駆動源として扱いが容易なモータ４１を用いることができると共に、第１変換機構５０を簡易に構成できる。
【００４１】
実施の形態２.
本発明の他の実施の形態を図１１によって説明する。図１１は他の実施の形態によるピンセット端部と発熱体との接触部付近の部分拡大図である。
上記実施形態１の電動半田ごて１では、ピンセット２０の他端部２０ｃが発熱体２５の上面と接触したが、ピンセット２０の一端部２０ａ又は、一端部２０ａ及び他端部２０ｃが発熱体２５の上面と接触する実施の形態について説明する。
図１１において、発熱体１２５は、実施形態１の発熱体２５と略同一であるが、ピンセット２０の一端部２０ａ、他端部２０ｃの端部側には、着脱部３０の移動部材３２を収納するように円柱状の凹部１２５ｕが形成されている。これにより、ピンセット２０の他端部２０ｃに発熱体１２５が熱的に接触しないように形成されている。
これにより、ピンセット２０が把持状態で、ピンセット２０の一他端部２０ａと発熱体１２５が接触すると共に、ピンセット２０の他端部２０cは、発熱体１２５の凹部１２５ｕに収納され、発熱体１２５と接触しないように形成されている。
【００４２】
このように構成された半田ごて１によれば、上記実施形態１の半田ごてと同様の作用、効果を奏する。なお、発熱体１２５からピンセット２０の一端部２０ａを介して把持部に熱が伝導されるので、実施形態１よりも熱伝導の点等でやや劣る。
また、本実施形態では、ピンセット２０が把持状態で、発熱体１２５がピンセット２０の一他端部２０ａと接触するように形成されているが、発熱体１２５の凹部１２５ｕの深さを図１０に示す一点鎖線のように、上記よりも少し浅く形成することにより、ピンセット２０が把持状態で、発熱体１２５がピンセット２０の一他端部２０ａ及び他端部２０ｃと接触するように形成しても良い。
このように構成された半田ごても本実施形態と同様の作用、効果を奏する。
【００４３】
実施の形態３.
本発明の他の実施の形態を図１２によって説明する。図１２は他の実施の形態を示すピンセットの着脱部の縦断面を示す斜視図である。
図１２において、ピンセット１２０は、逆Ｖ字形の第１部材、第２部材としての把持部材１２０Ｖを二つ有し、把持部材１２０Ｖは、一端部１２０ａと、中央に取付け孔１２０ｅを有する円形板状の共通の他端部１２０ｃとを有している。
着脱部１３０は、ピンセット１２０を操作部材１６７及びケース１０から着脱するもので、ピンセット１２０の一端部１２０ａを着脱自在に係止させる第１係止部を有する移動部材１３１と、ピンセット１２０の他端部１２０ｃを係止する第２係止部を有する操作部材１６７とから成っている。
移動部材１３１は、平板から成る平面視略ドーナツ形で、中央にピンセット１２０の他端部１２０ｃを挿入する丸形状の挿入孔１３１ｅが設けられ、該挿入孔１３１ｅと連通してピンセット１２０の一端部１２０ａを係止させる第１係止部としての二つの切り欠き１３１ａが平行に対向して設けられている。操作部材１６７には、円柱状で、上部にネジ孔１６７ｅが設けられており、ネジ孔１６７ｅにピンセット１２０の取付け孔１２１ｅを合わせてねじ１６８により螺合してピンセット１２０の他端部１２０ｃが固定される。
なお、第２係止部とは、操作部材１６７のネジ孔１６７ｅとピンセット１２０の取付け孔１２１ｅとが該当する。
【００４４】
このような半田ごてによれば、ピンセット１２０をケース１０及び操作部材１６７等から着脱するのに、実施の形態１と比較して実施形態１の第２係合部材３２を省くことができる。よって、簡易な着脱部１３０の構成を得ることができる。
【００４５】
実施の形態４．
本発明の他の実施の形態を図１３によって説明する。図１３は他の実施の形態を示すピンセット型の手動半田ごての全体断面図である。図１３中、図１と同一符号は同一部分を示し説明を省略する。
図１３において、手動半田ごて１００の第２変換機構１４０は、カム５１に結合された軸１４１ａを有する第１傘歯車１４１と、第１傘歯車１４１と噛合する第２傘歯車１４５と、第２傘歯車１４５に結合されると共に、軸１４１ａと直交する回転軸１４３と、回転軸１４３を回転させると共に、一部がケース１０から突出したローレットが施された回動部材１４７とを備えている。
【００４６】
このような手動半田ごて１００によれば、作業者が指で回動部材１４７を回動すると、回転軸１４３が回転すると共に、第２傘歯車１４５も回転して第１傘歯車１４１が回転する。これにより、上記実施形態１と同様にしてカム５１が回転してピンセット２０を開放から把持(閉成)すると共に、ピンセット２０の他端部２０ｃと発熱体２５を非接触から接触する。したがって、作業者がピンセット２０そのものを手で開閉することなく、作業者が指で回動部材１４７を回動させれば、ピンセット２０を開閉できるので、手の疲れが軽減される。
【００４７】
実施の形態５．
本発明の他の実施の形態を図１４によって説明する。図１４は、他の実施の形態を示すピンセット及び操作部材の正面図(a)、該正面図の矢視ｂから見たピンセットの先端拡大図(b)ある。
図１４において、ピンセット２２０は、上記実施形態のピンセット２０と略同一形状で、逆Ｖ形状の第１部材としての第１把持部材、第２部材としての第２把持部材２２１を二つ有し、一端部２２１ａがケース１０に連結固定され、他端部２２１ｃが操作部材６７に固定されている。ピンセット２２０には、板でＬ形状に形成され、把持部材２２１の先端部２２１ｘの内側に固定される第１,第２熱伝導部材２２２を備えている。
把持部材２２１は、他端部２２１ｃが引っ張られたり、戻したりして先端２２０ｘが拡大するためにバネ性が優れ、バネ用リン青銅を用いることが好ましく、熱伝導部材２２２は、把持部材２２１よりも熱伝導性が良く、銅を用いることが好ましい。
【００４８】
把持部材２２１には、二つの先端部２２１ｘの把持部が略凹状に切り欠かれた窓部２２１ｍが設けられ、熱伝導部材２２２の端部には、発熱体２５が引き込まれた状態で、発熱体２５の天面と接触する接触片２２２ｈが設けられている。
そして、ピンセット２２０は、窓２２１ｍから熱伝導部材２２２の先端部２２２ｘが露出されていて、該先端部２２２ｘが電子部品２の把持部を形成している。
【００４９】
このような半田ごてによれば、ピンセット２２０の熱伝導部材２２２の先端部２２２ｘにより電子部品２のリードを把持できる。これにより、一般的な材料を用いながらピンセット２２０の熱伝導特性、変位拡大特性を得ることができるので、発熱体２５からピンセット２２０の把持部(先端部)２２２ｘに熱をきわめて容易に伝達できる。
さらに、ピンセット２２０の把持部(先端部)２２２ｘが熱伝導部材２２２によって形成されているので、発熱体２５の熱が該把持部(先端部)２２２ｘに伝導され易い。
【産業上の利用可能性】
【００５０】
本発明は、ピンセット型の半田ごてに適用できる。
【図面の簡単な説明】
【００５１】
【図１】本発明の一実施の形態を示すピンセット型の電動半田ごての全体縦断面図である。
【図２】図１に示すピンセット型の電動半田ごての部分拡大図である。
【図３】図１に示すピンセットを示す斜視図である。
【図４】図１によるピンセットの着脱部の縦断面を示す斜視図である。
【図５】図４に示す操作部材の斜視図である。
【図６】図４に示す着脱部の移動部材及び固定部材の平面図(ａ)、図６(a)に示す矢視ｂ−ｂの断面に操作部材を付加した断面図(b)である。
【図７】図１による電動半田ごてのピンセットが開放状態における各部の動作を示す部分断面図である。
【図８】図１による電動半田ごてのピンセットが中間状態における各部の動作を示す部分断面図である。
【図９】図１による電動半田ごてのピンセットが把持状態における各部の動作を示す部分断面図である。
【図１０】図１に示す電動半田ごてに用いるカムの変位線図である。
【図１１】本発明の他の実施の形態によるピンセット型の電動半田ごてのピンセット端部と発熱体との接触部付近の部分拡大図である。
【図１２】本発明の他の実施の形態によるピンセットの着脱部の縦断斜視図である。
【図１３】本発明の他の実施の形態を示すピンセット型の手動半田ごての全体縦断面図である。
【図１４】本発明の他の実施の形態を示すピンセット及び操作部材の正面図(a)、ピンセットの先端拡大図(b)ある。
【図１５】従来のピンセット型の半田ごての正面図である。
【符号の説明】
【００５２】
１  電動半田ごて、２  電子部品、１０  ケース、２０，１２０，２２０  ピンセット、２０ａ  一端部、２０ｃ  他端部、２０ｖ  把持部材、２５，１２５  発熱体、３０  着脱部、３１，１３１  固定部材、３２  移動部材、４１  モータ、５０  第１変換機構、５１  カム、６１  第１カムフォロワー、６２  第２カムフォロワー、６７  操作部材、１００  手動半田ごて、１３７  回動部材、２２１  第１部材，第２部材。
【図１】
2008080380.tif 000003
【図２】
2008080380.tif 000004
【図３】
2008080380.tif 000005
【図４】
2008080380.tif 000006
【図５】
2008080380.tif 000007
【図６】
2008080380.tif 000008
【図７】
2008080380.tif 000009
【図８】
2008080380.tif 000010
【図９】
2008080380.tif 000011
【図１０】
2008080380.tif 000012
【図１１】
2008080380.tif 000013
【図１２】
2008080380.tif 000014
【図１３】
2008080380.tif 000015
【図１４】
2008080380.tif 000016
【図１５】
2008080380.tif 000017